(57)【要約】      （修正有）【課題】コストの上昇を抑えつつ耐熱性の向上を図る。【解決手段】配線板300に実装されるソケット310と着脱自在に接続されるコネクタ部８を備え、コネクタ部８の導電部材(コンタクト81)が信号処理回路６に電気的に接続されている。つまり、配線板300にはソケット310のみがリフロー実装されるため、回路ブロック１のパッケージ10や光学ブロック２の本体及びカバー、コネクタ部８のポスト80などは耐熱温度が高く且つめっき加工が可能な高価な合成樹脂材料で形成される必要が無い。その結果、コストの上昇を抑えつつ耐熱性の向上を図ることができる。【選択図】図１
2013120157.tif 000002
【特許請求の範囲】
【請求項１】
検出対象の気体が導入され且つ赤外線の光路となる空間を形成する光学ブロックと、前記空間内に赤外線を放射する赤外線放射素子、前記光路を進行した後に前記空間外に放射される赤外線を受光し且つ電気信号に変換する受光素子、前記赤外線放射素子を駆動し、且つ前記受光素子から出力される前記電気信号を信号処理する信号処理回路がパッケージ内に収納されてなる回路ブロックと、配線板に実装されるオス側のコネクタと着脱自在に接続されるメス側のコネクタ又は配線板に実装されるメス側のコネクタと着脱自在に接続されるオス側のコネクタの何れか一方とを備え、前記コネクタの導電部材が前記信号処理回路に電気的に接続されていることを特徴とする気体成分検出装置。
【請求項２】
前記光学ブロックは、合成樹脂材料によって箱形に形成されるとともに内側及び外側の表面に金属がめっきされ、且つ前記コネクタの導電部材のうちで前記信号処理回路のグランド用の導電部材と前記めっきされた金属が電気的に接続されることを特徴とする請求項１記載の気体成分検出装置。
【請求項３】
導電性の材料により箱形に形成されて前記光学ブロックを覆うシールドケースを備え、前記シールドケースは、前記コネクタの導電部材のうちで前記信号処理回路のグランド用の導電部材と電気的に接続されることを特徴とする請求項１記載の気体成分検出装置。
【請求項４】
前記赤外線放射素子から放射される赤外線を集光する第１集光レンズ、または前記空間を進行して来た赤外線を集光する第２集光レンズの少なくとも何れか一方を備えることを特徴とする請求項１〜３の何れか１項に記載の気体成分検出装置。
【請求項５】
前記第２集光レンズは、前記検出対象の気体成分に吸収される波長帯域を通過域に含む波長フィルタが一体に形成されていることを特徴とする請求項４記載の気体成分検出装置。
【請求項６】
前記パッケージは、前記赤外線放射素子から放射される赤外線を前記空間に向けて反射させる第１反射部、または前記空間を進行して来た赤外線を前記受光素子に向けて反射させる第２反射部の少なくとも何れか一方が一体に形成された立体成形回路基板からなることを特徴とする請求項１〜５の何れか１項に記載の気体成分検出装置。
【請求項７】
前記赤外線放射素子又は前記受光素子の少なくとも何れか一方は、前記光学ブロックの赤外線の入射面の法線方向又は前記光学ブロックの赤外線の出射面の法線方向と、赤外線の放射面の法線方向又は赤外線の受光面の法線方向とのなす角が鋭角となる向きに配置されることを特徴とする請求項１〜６の何れか１項に記載の気体成分検出装置。
【請求項８】
互いに異なる気体成分に吸収される波長帯域を通過域に含む複数の波長フィルタと、前記各波長フィルタを通過する赤外線を受光する複数の前記受光素子とを備えることを特徴とする請求項１〜７の何れか１項に記載の気体成分検出装置。
【請求項９】
前記光学ブロックは、前記回路ブロックに対向する面が開放された凹所を有する本体と、前記本体に取り付けられて前記凹所の一部を閉塞するカバーとを有することを特徴とする請求項１〜８の何れか１項に記載の気体成分検出装置。
【請求項１０】
前記検出対象の気体成分に吸収される波長帯域を通過域に含む波長フィルタを備え、前記光学ブロックは、前記波長フィルタが外部から挿入される挿入口が設けられていることを特徴とする請求項１〜９の何れか１項に記載の気体成分検出装置。
【発明の詳細な説明】
【技術分野】
【０００１】
本発明は、赤外線の吸収特性を利用して気体成分の濃度を検出する気体成分検出装置に関する。
【背景技術】
【０００２】
従来の気体成分検出装置として、例えば、特許文献１に記載されている赤外線検知式ガスセンサがある。この従来例は、被測定ガスが流入する筒状のケースと、赤外線を放射する光源と、赤外線を集光するコリメータレンズと、赤外線の特定の波長のみを透過するバンドバスフィルタと、前記特定波長の赤外線を電気信号に変換する検出素子とを備える。そして、光源から放射される赤外線のうちで被測定ガス(例えば、二酸化炭素)に吸収されずに検出素子で受光される赤外線の量(レベル)に応じて、ケース内に存在する被測定ガス(検出対象の気体成分)の濃度を検出することができる。
【先行技術文献】
【特許文献】
【０００３】
【特許文献１】特開２０１０−２２８４号公報（段落００５０，００５１及び図５参照）
【発明の概要】
【発明が解決しようとする課題】
【０００４】
ところで、気体成分検出装置を小型化するに当たり、光源(発光素子)や受光素子を信号処理回路とともにパッケージに収納し、検出対象の気体が導入され且つ赤外線の光路となる空間を形成する光学ブロックがパッケージに積載される構造が考えられる。このような構造においては、前記空間の壁面にめっき加工による反射面が形成された光学ブロックが用いられることがある。
【０００５】
しかしながら、現在のめっき加工技術ではめっき加工が可能な合成樹脂材料の種類が限られており、特に、リフロー実装時の高温度(はんだの溶融温度である約180℃〜220℃)に耐え得る合成樹脂材料は種類が少なく且つ高価なものが多い。故に、合成樹脂製の光学ブロックを使用した気体成分検出装置は、コストの上昇を抑えつつ耐熱性の向上を図ることが困難であった。
【０００６】
本発明は、上記課題に鑑みて為されたものであり、コストの上昇を抑えつつ耐熱性の向上を図ることを目的とする。
【課題を解決するための手段】
【０００７】
本発明の気体成分検出装置は、検出対象の気体が導入され且つ赤外線の光路となる空間を形成する光学ブロックと、前記空間内に赤外線を放射する赤外線放射素子、前記光路を進行した後に前記空間外に放射される赤外線を受光し且つ電気信号に変換する受光素子、前記赤外線放射素子を駆動し、且つ前記受光素子から出力される前記電気信号を信号処理する信号処理回路がパッケージ内に収納されてなる回路ブロックと、配線板に実装されるオス側のコネクタと着脱自在に接続されるメス側のコネクタ又は配線板に実装されるメス側のコネクタと着脱自在に接続されるオス側のコネクタの何れか一方とを備え、前記コネクタの導電部材が前記信号処理回路に電気的に接続されていることを特徴とする。
【０００８】
この気体成分検出装置において、前記光学ブロックは、合成樹脂材料によって箱形に形成されるとともに内側及び外側の表面に金属がめっきされ、且つ前記コネクタの導電部材のうちで前記信号処理回路のグランド用の導電部材と前記めっきされた金属が電気的に接続されることが好ましい。
【０００９】
この気体成分検出装置において、導電性の材料により箱形に形成されて前記光学ブロックを覆うシールドケースを備え、前記シールドケースは、前記コネクタの導電部材のうちで前記信号処理回路のグランド用の導電部材と電気的に接続されることが好ましい。
【００１０】
この気体成分検出装置において、前記赤外線放射素子から放射される赤外線を集光する第１集光レンズ、または前記空間を進行して来た赤外線を集光する第２集光レンズの少なくとも何れか一方を備えることが好ましい。
【００１１】
この気体成分検出装置において、前記第２集光レンズは、前記検出対象の気体成分に吸収される波長帯域を通過域に含む波長フィルタが一体に形成されていることが好ましい。
【００１２】
この気体成分検出装置において、前記パッケージは、前記赤外線放射素子から放射される赤外線を前記空間に向けて反射させる第１反射部、または前記空間を進行して来た赤外線を前記受光素子に向けて反射させる第２反射部の少なくとも何れか一方が一体に形成された立体成形回路基板からなることが好ましい。
【００１３】
この気体成分検出装置において、前記赤外線放射素子又は前記受光素子の少なくとも何れか一方は、前記光学ブロックの赤外線の入射面の法線方向又は前記光学ブロックの赤外線の出射面の法線方向と、赤外線の放射面の法線方向又は赤外線の受光面の法線方向とのなす角が鋭角となる向きに配置されることが好ましい。
【００１４】
この気体成分検出装置において、互いに異なる気体成分に吸収される波長帯域を通過域に含む複数の波長フィルタと、前記各波長フィルタを通過する赤外線を受光する複数の前記受光素子とを備えることが好ましい。
【００１５】
この気体成分検出装置において、前記光学ブロックは、前記回路ブロックに対向する面が開放された凹所を有する本体と、前記本体に取り付けられて前記凹所の一部を閉塞するカバーとを有することが好ましい。
【００１６】
この気体成分検出装置において、前記検出対象の気体成分に吸収される波長帯域を通過域に含む波長フィルタを備え、前記光学ブロックは、前記波長フィルタが外部から挿入される挿入口が設けられていることが好ましい。
【発明の効果】
【００１７】
本発明の気体成分検出装置は、コストの上昇を抑えつつ耐熱性の向上を図ることができるという効果がある。
【図面の簡単な説明】
【００１８】
【図１】本発明に係る気体成分検出装置の実施形態１を示し、(ａ)はコネクタ部がソケットに接続されていない状態の斜視図、(ｂ)は同上の下面図、(ｃ)はソケットの平面図である。
【図２】同上のコネクタ部がソケットに接続された状態を示し、(ａ)は正面図、(ｂ)は断面図である。
【図３】同上を示し、(ａ)はコネクタ部を省略した断面図、(ｂ)は光学ブロックの平面図である。
【図４】同上における第２集光レンズが一体形成された波長フィルタを示し、(ａ)は側面図、(ｂ)は正面図である。
【図５】同上の他の構成の回路ブロックを示し、(ａ)は斜視図、(ｂ)は一部省略した断面図である。
【図６】同上の他の構成の光学ブロックを示す平面図である。
【図７】実施形態２における光学ブロックの断面図である。
【図８】同上の他の構成の断面図である。
【発明を実施するための形態】
【００１９】
(実施形態１)
本実施形態の気体成分検出装置(以下、ガスセンサと呼ぶ。)は、図１〜図３に示すように回路ブロック１と光学ブロック２とコネクタ部８で構成されている。なお、以下の説明では、図１(ａ)において上下左右を規定し、紙面に垂直な方向の手前を前、奥を後と規定する。
【００２０】
回路ブロック１は、図３に示すように合成樹脂成形体からなるパッケージ10の内部に赤外線放射素子３、２つの受光素子4A，4B、３つの集光レンズ7A，7B、信号処理回路６を実装した配線板11などが収納されて構成される。赤外線放射素子３は、赤外線を放射する半導体ベアチップ(例えば、発光ダイオードチップや半導体基板上にMEMS技術を用いた抵抗素子が形成されてなる光源)からなる。ただし、赤外線放射素子３から放射される赤外線の波長は、検出対象の気体成分(例えば、一酸化炭素や二酸化炭素、メタン、窒素酸化物など)に吸収され易い波長である。また受光素子4A，4Bは、赤外線を受光して電気信号に変換する半導体ベアチップ(例えば、フォトダイオードチップや焦電素子)からなる。信号処理回路６は、赤外線放射素子３を駆動して赤外線を放射させたり、受光素子4A，4Bから出力される信号に対して増幅や波形整形、サンプリング、Ａ／Ｄ変換、演算処理、補正処理、異常濃度判定処理などの信号処理を行う集積回路(ＩＣ)からなる。
【００２１】
配線板11は矩形平板状に形成されており、ほぼ中央に信号処理回路６が実装され、図示しないプリント配線が上面に形成され、信号処理回路６の端子(図示せず)がプリント配線に電気的に接続されている。
【００２２】
パッケージ10は、扁平な直方体形状に形成されるとともに上面側に開口する凹所100が設けられ、この凹所100内に配線板11を収納する。また、パッケージ10の上面側における左端部には、深さ寸法及び前後左右の寸法が異なる２つの凹部101A，101Bが上下方向に重なるように形成されている。そして、深い方の凹部101Aの底面(下面)に赤外線放射素子３が実装され、浅い方の凹部101Bの底面(下面)に第１集光レンズ7Aが載置される(図３(ａ)参照)。赤外線放射素子３は、ワイヤボンディングなどの適宜の方法により、配線板11のプリント配線と電気的に接続される。また第１集光レンズ7Aは、例えば、シリコン基板を半導体の微細加工技術により加工して形成され、赤外線放射素子３から放射される赤外線を略平行光に集光する。なお、凹部101A，101Bの右端にはパッケージ10の上面とほぼ同じ高さの壁102が設けられている。つまり、赤外線放射素子３から放射される赤外線が壁102で遮蔽されることにより、赤外線が照射されることに起因した信号処理回路６の誤動作を抑制することができる。しかも、このような壁102がパッケージ10と一体に形成されているため、壁がパッケージ10と別体に形成される場合と比較して低コスト化及び小型化が図れるという利点がある。
【００２３】
一方、パッケージ10の上面側における右端部には、深さ寸法及び前後左右の寸法が異なる２組の凹部104A，104Bが上下方向に重なるように形成されている。そして、深い方の２つの凹部104Aの底面(下面)にそれぞれ受光素子4A，4Bが実装され、浅い方の２つの凹部104Bの底面(下面)にそれぞれ第２集光レンズ7Bが載置される(図３(ａ)参照)。なお、受光素子4A，4Bは、ワイヤボンディングなどの適宜の方法により、配線板11のプリント配線と電気的に接続される。また第２集光レンズ7Bは、例えば、シリコン基板を半導体の微細加工技術により加工して形成され、受光素子4A，4Bの受光面に赤外線を集光する。
【００２４】
光学ブロック２は、回路ブロック１に対向する面(下面)が開放された凹所200を有する本体20と、本体20に取り付けられて凹所200の一部を閉塞するカバー21とを有する。本体20は、合成樹脂材料によって略直方体形状に形成されている。また、本体20上部の中央には、上下方向に貫通する矩形の通気孔(図示せず)が設けられ、通気孔を通して外気(検出対象の気体成分を含む複数種類の混合気体。以下、同じ。)が凹所(空間)200内に導入される。なお、通気孔の形状は矩形に限定されず、円形等の他の形状であってもよく、且つ複数個であってもよい。ただし、塵埃などの外気以外の異物が通気孔に進入することを防ぐため、本体20上面の通気孔の開口は防塵フィルタ(図示せず)で覆われている。
【００２５】
凹所200は、底面(上面)における前後方向の中央に分岐部204が下向きに突設されている。この分岐部204は、先端(左端)が先細りとなった楔型の壁からなり、上下方向から見たときに、後端(右端)が２つの受光素子4A，4Bの間に位置している。また凹所200は、カバー21を挟んで赤外線放射素子３と対向する側面(図１における左側面)が放物面形状に形成され、カバー21を挟んで受光素子4A，4Bと対向する側面(図１における右側面)が下方に向かって外側に傾斜する平面状に形成されている。そして、凹所200の側面並びに底面(上面)、分岐部204の表面を含む本体20の全面が、金などの反射率が相対的に高い金属によってめっきされている。なお、以下では、赤外線放射素子３と対向する凹所200の左側面を第１反射面201、受光素子4Aと対向する凹所200の右側面を第２反射面202、受光素子4Bと対向する凹所200の右側面を第３反射面203と呼ぶ。
【００２６】
カバー21は、本体20と同じ合成樹脂材料によって矩形平板状に形成されるとともに、上面が金などの反射率が相対的に高い金属によってめっきされ、本体20の下面側に接合されて凹所200の開口面(下面)の一部(凹部101B，104Bと対向しない部分)を閉塞する。
【００２７】
また、分岐部204で分岐された各光路(第１反射面201から第２反射面202と第３反射面203に向かう２つの光路)の途中に主波長フィルタ5A及び副波長フィルタ5Bがそれぞれ配設される(図３(ｂ)参照)。すなわち、一方の光路(主光路)を進行した赤外線が主波長フィルタ5Aを通過し且つ第２反射面202に反射されて受光素子4Aに受光され、他方の光路(副光路)を進行した赤外線が副波長フィルタ5Bを通過し且つ第３反射面203に反射されて受光素子4Bに受光される。ここで、主波長フィルタ5Aは、検出対象の気体成分が吸収する赤外線の波長域を通過域に含むバンドパスフィルタからなる。また、副波長フィルタ5Bは、検出対象の気体成分が吸収する赤外線の波長域を通過域に含まず、当該波長域の近傍の波長域を通過域に含むバンドパスフィルタからなる。この種のバンドパスフィルタは干渉フィルタとも呼ばれ、主に誘電体膜の多層構造を有している。
【００２８】
つまり、赤外線放射素子３から放射される赤外線のうち、主波長フィルタ5Aを通過して受光素子4Aで受光される赤外線量が検出対象の気体成分の濃度(以下、気体濃度という。)に応じて減少するのに対し、副波長フィルタ5Bを通過して受光素子4Bで受光される赤外線量は気体濃度に応じて減少しない。そして、信号処理回路６では、２つの受光素子4A，4Bの出力信号レベルの差分をとり、この差分に基づいて気体濃度を演算する。
【００２９】
すなわち、１つの受光素子の出力信号レベルに基づいて信号処理回路６が気体濃度を演算した場合、受光素子の出力信号レベルが何らかの外乱要因によって変動したときに気体濃度の検出精度が低下してしまう虞がある。一方、上述のように信号処理回路６が２つの受光素子4A，4Bの出力信号レベルの差分に基づいて気体濃度を演算すれば、それぞれの受光素子4A，4Bの出力信号レベルの変動分を相殺して気体濃度の検出精度の低下を抑制することができる。
【００３０】
コネクタ部８は、図１及び図２に示すように配線板300に実装されるメス側のコネクタ(ソケット)310と着脱自在に接続されるオス側のコネクタ(ヘッダ)である。ソケット310は、上面が開口する矩形箱状の合成樹脂成形体からなるボディ311と、ボディ311内の前後両側面において左右方向に沿って等間隔に配設された複数本(図示例では合計20本)のコンタクト312とを備える。これら複数本のコンタクト312は、略Ｕ字形状に形成された接触部312Aがボディ311内に配置され、ボディ311の外側に延長される端子片312Bが配線板300の上面に形成されている配線パターン(図示せず)にはんだ付けされて電気的に接続される。
【００３１】
コネクタ部８は、パッケージ10の下面中央から下向きに突出する直方体形状のポスト80と、ポスト80の前後両側面において左右方向に沿って等間隔に配設された複数本(図示例では合計20本)のコンタクト81とを備える。これら複数本のコンタクト81は、略Ｕ字形状に形成されて左右方向の一方側でポスト80に支持される接触部81Aと、パッケージ10の下面に露出している導電路(図示せず)に接合される接合部81Bとを有している。導電路は、パッケージ10内で配線板11のプリント配線と接続されており、コネクタ部８の各コンタクト81を信号処理回路６に電気的に接続する役割を果たしている。
【００３２】
而して、配線板300に実装されたソケット310のボディ311内に上方からコネクタ部８が挿入されると、コネクタ部８の各コンタクト81とソケット310側の各コンタクト312が左右方向に撓み、各々の接触部81A，312A同士が接触導通し且つ保持される。また、パッケージ10が上向きに引き上げられれば、ソケット310からコネクタ部８が引き外される。
【００３３】
上述のように本実施形態は、配線板300に実装されるソケット310と着脱自在に接続されるコネクタ部８を備え、コネクタ部８の導電部材(コンタクト81)が信号処理回路６に電気的に接続されている。つまり、配線板300にはソケット310のみがリフロー実装されるため、回路ブロック１のパッケージ10や光学ブロック２の本体20及びカバー21、コネクタ部８のポスト80などは耐熱温度が高く且つめっき加工が可能な高価な合成樹脂材料で形成される必要が無い。その結果、コストの上昇を抑えつつ耐熱性の向上を図ることができる。特に、本実施形態に例示したコネクタ部８及びソケット310は、従来周知のヘッダ及びソケットと共通の構成を有しているから、コネクタ部８を追加する際のコスト上昇を抑えることができる。なお、本実施形態ではコネクタ部８をオス側のコネクタ(ヘッダ)としたが、コネクタ部８をメス側のコネクタ(ソケット)とし、オス側のコネクタ(ヘッダ)を配線板300に実装する構成であっても構わない。
【００３４】
ここで、光学ブロック２の本体20には、主波長フィルタ5A及び副波長フィルタ5Bが外部から挿入される一対の挿入口22が前後方向に並べて設けられている(図３(ａ)参照)。すなわち、本実施形態においては、光学ブロック２と回路ブロック１が接合されてガスセンサが組み立てられた後、各挿入口22に主波長フィルタ5A及び副波長フィルタ5Bを挿入して光学ブロック２の空間(凹所200)内に配置させることができる。そのため、それぞれに異なる気体成分を検出するガスセンサの組立において、主波長フィルタ5A及び副波長フィルタ5Bを取り付ける前段階までの工程が共通化されるので、製造コストの削減を図ることができる。
【００３５】
また、本実施形態では、本体20とカバー21が接合された光学ブロック２を回路ブロック１に接合するので、カバー21が先に回路ブロック１に接合された後に本体20とカバー21が接合される場合と比較して、組立作業の効率化が図れるという利点がある。
【００３６】
ところで、主波長フィルタ5A及び副波長フィルタ5Bにそれぞれ第２集光レンズを一体に設けても構わない。例えば、図４に示すように第２集光レンズ211がエッチングや機械加工によって同心円状に複数のブレーズが形成された、いわゆるフレネルレンズからなり、その入射面に誘電体膜の多層構造からなる波長フィルタ5A，5Bが形成されればよい。
【００３７】
またパッケージ10は、図５に示すように赤外線放射素子３から放射される赤外線を空間(凹所200)に向けて反射させる第１反射部13と、空間を進行して来た赤外線を受光素子4A，4Bに向けて反射させる第２反射部14とが一体に形成された立体成形回路基板でもよい。第１反射部13並びに第２反射部14は、何れもパッケージ10の上面に形成されたすり鉢状の凹部の内周面に金などの反射率が相対的に高い金属からなる薄膜が蒸着されて形成される(図５(ｂ)参照)。このような反射部13，14を設ければ、気体成分の検出感度の向上が図れる。また、パッケージ10を立体成形回路基板(いわゆるMID基板)とすることにより、信号処理回路６が配線板11を介さずにパッケージ10に直接実装可能となるので、パッケージ10を小型化することができる。
【００３８】
ところで、上述した実施形態では１種類の気体成分しか検出できないが、図６に示す構成であれば、複数種類(図示例では２種類)の気体成分を検出することができる。つまり、図６に示すように互いに異なる気体成分に吸収される波長帯域を通過域に含む２つの主波長フィルタ5A，5Cと、各主波長フィルタ5A，5Cを通過する赤外線を受光する２つの受光素子4A，4Cとを備えればよい。
【００３９】
追加された主波長フィルタ5Cは、検出対象の気体成分に吸収される赤外線の波長帯域を通過域に含むバンドパスフィルタからなる。また、副波長フィルタ5Bは、２種類の検出対象の気体成分に吸収される赤外線の波長帯域を通過域に含まず、これらの波長帯域の近傍の波長第域を通過域に含むバンドパスフィルタからなる。ただし、本体20の凹所200には、２つの分岐部204が下向きに突設され、これらの分岐部204で分岐された３つの光路の途中に２つの主波長フィルタ5A，5C及び副波長フィルタ5Bがそれぞれ配設される。
【００４０】
上記構成によれば、１つの光学ブロック２で複数種類の気体成分を検出することが可能であり、２つの光学ブロック２を設ける場合と比較して小型化及び低コスト化が図れるという利点がある。ただし、上記構成において主波長フィルタと主波長フィルタを通過する赤外線を受光する受光素子が３組以上設けられれば、３種類以上の気体成分を検出することが可能である。
【００４１】
(実施形態２)
本実施形態は、図７に示すように赤外線放射素子３と受光素子4A，4Bがそれぞれ光学ブロック２の下面に対して傾けて配置されている点に特徴がある。ただし、その他の構成については実施形態１と共通であるから、実施形態１と共通の符号を付して適宜図示並びに説明を省略する。
【００４２】
赤外線放射素子３は、光学ブロック２の赤外線の入射面(下面)の法線方向(図７における上下方向)と、赤外線の放射面の法線方向とのなす角θ１が鋭角となる向きに配置されている。同じく受光素子4A，4Bも、光学ブロック２の赤外線の出射面(下面)の法線方向(図７における上下方向)と、赤外線の受光面の法線方向とのなす角θ２が鋭角となる向きに配置されている。なお、赤外線放射素子３及び受光素子4A，4Bを上述のように傾けて配置するために、パッケージ10の凹部101，104の底面が傾けて形成される。
【００４３】
本実施形態では、赤外線放射素子３及び受光素子4A，4Bが上述のように傾けて配置されているため、凹所200の底面(上面)やカバー21の上面などに反射することで赤外線の光路長が長くなる。その結果、検出対象の気体成分に吸収される赤外線量が増えることになるので、気体成分の検出感度(Ｓ／Ｎ比)の向上が図れる。なお、赤外線放射素子３及び受光素子4A，4Bの傾き角θ１，θ２は、特に０度よりも大きく且つ45度(π／４ラジアン)以下の鋭角であることが好ましい。
【００４４】
ここで、図８に示すように光学ブロック２の反射面(凹所200の内壁面)が曲面形状に形成されれば、気体成分の検出感度(Ｓ／Ｎ比)をさらに向上することができる。
【００４５】
ところで、コネクタ部８のコンタクト81のうちで信号処理回路６のグランド用のコンタクト81に、光学ブロック２の本体20にめっきされた金属を電気的に接続することが好ましい。例えば、パッケージ10を立体成形回路基板として構成し、パッケージ10に形成されている導電路を介して光学ブロック２の本体20にめっきされた金属とコネクタ部８のコンタクト81の接合部81Bとを電気的に接続すればよい。つまり、本体20にめっきされた金属がグランドに電気的に接続されることにより、外来のノイズに対して回路ブロック１をシールドすることができ、気体濃度の誤検出などの誤動作を抑制することができる。ただし、本体20にめっきされた金属をシールドに利用する代わりに、導電性の材料により箱形に形成されたシールドケース(図示せず)で光学ブロック２を覆い、当該シールドケースをコネクタ部８のコンタクト81の接合部81Bと電気的に接続しても構わない。この場合においても、パッケージ10を立体成形回路基板として構成し、パッケージ10に形成されている導電路を介してシールドケースとコネクタ部８のコンタクト81の接合部81Bとを電気的に接続すればよい。
【符号の説明】
【００４６】
１  回路ブロック
２  光学ブロック
３  赤外線放射素子
4A，4B  受光素子
６  信号処理回路
８  コネクタ部(オス側のコネクタ)
10  パッケージ
81  コンタクト(導電部材)
300  配線板
310  ソケット(メス側のコネクタ)
【図１】
2013120157.tif 000003
【図２】
2013120157.tif 000004
【図３】
2013120157.tif 000005
【図４】
2013120157.tif 000006
【図５】
2013120157.tif 000007
【図６】
2013120157.tif 000008
【図７】
2013120157.tif 000009
【図８】
2013120157.tif 000010